(57)【要約】【課題】遊技パターンが画一的な従来の羽根物遊技機に代わる風車体を備えた遊技機を提供する。【解決手段】枠型の入賞装置２０の上部を大きく開口し、該開口の開口度合いを変化させる風車体２３を備えた。適宜風車体２３を回転させることにより、入賞装置２０内に遊技球を効率よく入賞させることができる。また、遊技盤面１１の中央ないし上部に入賞装置２０を配設したので、遊技球の処理を素早くでき、遊技の躍動感を高めた。【選択図】図１
2014036821.tif 000002
【特許請求の範囲】
【請求項１】
遊技球が入賞可能な入賞装置を備えた遊技機であって、
前記入賞装置は、上部が開口して内部に入賞口を有し、前記開口の近傍に、該開口の開口度合いを変化させる風車体を回動自在に軸支したことを特徴とする遊技機。
【請求項２】
前記風車体の回転軸は、前記開口の両側方向における中間位置に配置されたことを特徴とする請求項１に記載の遊技機。
【請求項３】
前記風車体の前記回転軸から前記羽根の最外延までの長さは、前記風車体の前記回転軸から前記開口端縁までの距離に等しい長さとしたことを特徴とする請求項２に記載の遊技機。
【請求項４】
前記風車体の前記回転軸から前記羽根の最外延までの長さは、前記風車体の前記回転軸から前記開口端縁までの距離より短い長さとしたことを特徴とする請求項２に記載の遊技機。
【請求項５】
前記風車体の一部の前記羽根の長さを短く形成したことを特徴とする請求項２，３または４に記載の遊技機。
【請求項６】
前記羽根の先端を折り曲げたことを特徴とする請求項２，３，４または５に記載の遊技機。
【請求項７】
前記風車体の隣り合う前記羽根の間に遊技球保持部を形成したことを特徴とする請求項２，３，４，５または６に記載の遊技機。
【請求項８】
前記羽根に遊技球が通過可能な通孔を形成したことを特徴とする請求項２，３，４，５，６または７に記載の遊技機。
【請求項９】
前記開口の開口端部を内側または外側に折り曲げて形成したことを特徴とする請求項２，３，４，５，６，７または８に記載の遊技機。
【発明の詳細な説明】
【技術分野】
【０００１】  本発明は、遊技球が入賞可能な入賞装置を備えた遊技機に関する。
【背景技術】
【０００２】  従来、この種のパチンコ遊技機の中に、いわゆる「ヒコーキ」、「羽根物」と呼ばれるパチンコ遊技機（以下「羽根物遊技機」という）がある（図１５参照）。
羽根物遊技機では、始動入賞口に遊技球が入賞すると、第２種役物装置である一対の可動片を備えた可変入賞部の可動片が開放状態となり、最大開閉動作を１８回行う、または１０個等の所定数の遊技球が可変入賞部の内部にある入賞口に取り込まれた時点で可動片を閉じるようになっている。また、可動片が開いている間に取り込まれた遊技球が入賞口内の一部に設けられたＶゾーンと呼ばれる特定領域に入賞すると、可動片が最大回数（通常は１５回）を限度に再度、所定の大当たり動作を継続するようになっている（特許文献１、特許文献２）。
【先行技術文献】
【特許文献】
【０００３】
【特許文献１】特開平５−８４３４５号公報
【特許文献２】特開平２−１３６１５２号公報
【発明の概要】
【発明が解決しようとする課題】
【０００４】  しかしながら、従来のこの種の羽根物遊技機においては、始動入賞口に入賞、羽根の開閉、特定領域への入賞という遊技パターンが均一化されているので、遊技に躍動感がなく、遊技に対する興趣が低下し、他の種の遊技に比べて羽根物遊技機は人気に乏しく、遊技機の種類としても停滞していた。【０００５】  本発明は、上記の事情に鑑み、主たる役物装置（センター役物）として、上部が開口した入賞装置を採用し、上部開口の近傍に風車体を配設して、遊技球の流れを不均一化して、遊技が単調になるのを防ぎ、もって、遊技の興趣を高めた遊技機を提供することを目的としている。
【課題を解決するための手段】
【０００６】  前述した目的を達成するための本発明の要旨とするところは、以下の各項の発明に存する。
［１］遊技球が入賞可能な入賞装置（２０）を備えた遊技機（１０）であって、
前記入賞装置（２０）は、上部が開口して内部に入賞口（２２）を有し、前記開口（２１）の近傍に、該開口（２１）の開口度合いを変化させる風車体（２３）を回動自在に軸支したことを特徴とする遊技機（１０）。【０００７】［２］前記風車体（２３）の回転軸（２３ａ）は、前記開口（２１）の両側方向における中間位置に配置されたことを特徴とする［１］に記載の遊技機（１０）。【０００８】［３］前記風車体（２３）の前記回転軸（２３ａ）から前記羽根（２３ｂ）の最外延までの長さは、前記風車体（２３）の前記回転軸（２３ａ）から前記開口端縁（２１ａ）までの距離に等しい長さとしたことを特徴とする［２］に記載の遊技機（１０）。【０００９】［４］前記風車体（２３）の前記回転軸（２３ａ）から前記羽根（２３ｂ）の最外延までの長さは、前記風車体（２３）の前記回転軸（２３ａ）から前記開口端縁（２１ａ）までの距離より短い長さとしたことを特徴とする［２］に記載の遊技機（１０）。【００１０】［５］前記風車体（２３）の一部の前記羽根（２３ｂ）の長さを短く形成したことを特徴とする［２］，［３］または［４］に記載の遊技機（１０）。【００１１】［６］前記羽根（２３ｂ）の先端を折り曲げたことを特徴とする［２］，［３］，［４］または［５］に記載の遊技機（１０）。【００１２】［７］前記風車体（２３）の隣り合う前記羽根（２３ｂ）の間に遊技球保持部（２３ｃ）を形成したことを特徴とする［２］，［３］，［４］，［５］または［６］に記載の遊技機（１０）。【００１３】［８］前記羽根（２３ｂ）に遊技球が通過可能な通孔（２３ｄ）を形成したことを特徴とする［２］，［３］，［４］，［５］，［６］または［７］に記載の遊技機（１０）。【００１４】［９］前記開口（２１）の開口端部（２１ｂ）を内側または外側に折り曲げて形成したことを特徴とする［２］，［３］，［４］，［５］，［６］，［７］または［８］に記載の遊技機（１０）。【００１５】  前記本発明は、次のように作用する。
前記［１］に記載の遊技機（１０）によれば、遊技盤面（１１）上に風車体（２３）を備えた入賞装置（２０）が配設される。風車体（２３）は回動自在に軸支されており、入賞装置（２０）の上部に形成された開口（２１）の開口の度合いを変化させることができる。すなわち、風車体（２３）を回動させることにより、羽根（２３ａ）が入賞装置（２０）の上部開口（２１）を開いた状態にしたり、閉じた状態にしたりする。これにより、遊技盤面（１１）上を流下する遊技球はタイミングよく風車体（２３）に入った場合は、入賞装置（２０）内の入賞口（２２）に入賞し、タイミングよく風車体（２３）に入らなかった場合は、弾かれて左右に跳ねてさらに盤面の下方に流下したりすることとなる。【００１６】  入賞装置（２０）内の入賞口（２２）は、単数または複数の構成とし、その全てまたは一部を特定入賞領域として、他の遊技動作の開始動作としても良い。すなわち、入賞装置（２０）内の入賞口（２２）に遊技球が入賞することにより、遊技盤面（１１）上に配設された一般入賞装置（３０）の開動作をしたり、可変表示部（３１）により抽選遊技を行ったり、大入賞口（３２）を開動作し賞球を行うなどする。可変表示部（３１）により抽選遊技を行う場合には、可変表示部（３１）により可変表示を開始し、最終的に停止した図柄または数字などの組み合わせにより当たり図柄である場合は、大入賞口（３２）などにより賞球する。【００１７】  入賞装置（２０）は、遊技盤面（１１）上の略中央に配設されており、上部の開口（２１）は、左右の両端に亘り、または、その近傍に、風車体（２３）がその開口度合いを自在に変化させるべく回動自在に軸支される。これにより、開口（２１）および風車体（２３）は天釘（１２）のごく近い位置に配されることになり、遊技者は天釘（１２）およびその近傍を狙って遊技を行い、上部の開口（２１）から遊技球を効率良く入賞装置（２０）内部に取り込むことができる。【００１８】  前記［２］に記載の遊技機（１０）によれば、風車体（２３）の回転軸（２３ａ）は、開口（２１）の両側方向における中間位置とした。これにより、風車体（２３）は、開口（２１）の中央を通る中心軸上に回転軸（２３ａ）を位置されることになり、風車体（２３）の大きさを変化させることにより、左右に生じる隙間を調整し、自在な設定を入賞装置（２０）に行うことができる。【００１９】  前記［３］に記載の遊技機（１０）によれば、風車体（２３）の回転軸（２３ａ）から羽根の最外延までの長さは、風車体（２３）の回転軸（２３ａ）から開口端縁（２１ａ）までの距離に等しい長さにした。これにより、回転時の羽根（２３ａ）を含めた風車体（２３）の可動域の幅は開口（２１）の幅よりも広く形成し、入賞装置（２０）内部により遊技球を取り込み易くすることができる。【００２０】  前記［４］に記載の遊技機（１０）によれば、風車体（２３）の回転軸（２３ａ）から羽根の最外延までの長さは、風車体（２３）の回転軸（２３ａ）から開口端縁（２１ａ）までの距離より短い長さにした。これにより、開口（２１）と風車体（２３）の羽根（２３ｂ）の間には隙間を設けることとなり、入賞装置（２０）内部により遊技球を取り込み易��することができる。【００２１】  前記［５］に記載の遊技機（１０）によれば、風車体（２３）の一部の羽根（２３ｂ）の長さを短く形成した。これにより、風車体（２３）の回転の方向、速さなどと合わせ、遊技球の取り込み易さをコントロールすることができる。【００２２】  前記［６］に記載の遊技機（１０）によれば、羽根（２３ｂ）の先端を折り曲げた。これにより、風車体（２３）の羽根（２３ｂ）から遊技球をこぼれ難くするなど遊技球を取り込み易くすることができる。【００２３】  前記［７］に記載の遊技機（１０）によれば、風車体（２３）の隣り合う羽根（２３ｂ）の間に遊技球保持部（２３ｃ）を形成した。これにより、遊技球保持部（２３ｃ）に確実に遊技球を保持させて入賞装置（２０）に入賞させることができる。【００２４】  前記［８］に記載の遊技機（１０）によれば、羽根（２３ｂ）に遊技球が通過可能な通孔（２３ｄ）を形成した。これにより、上段の羽根（２３ｂ）にある遊技球をより下段の羽根（２３ｂ）に確実に受け渡して入賞させることができる。遊技球が通孔（２３ｄ）を通って落ちていく様子は不規則でより遊技を楽しませることができる。【００２５】  前記［９］に記載の遊技機（１０）によれば、開口（２１）の開口端部（２１ｂ）を内側または外側に折り曲げて形成した。これにより、風車体（２３）と間に隙間を生じさせたり、風車体（２３）をより大きなもとしたりすることが可能となり、遊技盤面（１１）上でのレイアウトをより柔軟に行うことができる。
【発明の効果】
【００２６】  本発明に係る遊技機によれば、上部が開口した入賞装置を採用し、上部開口の近傍に風車体を配設して、遊技球の流れを不均一化して、遊技が単調になるのを防ぎ、もって、遊技の興趣を高めることができる。
【図面の簡単な説明】
【００２７】
【図１】  本発明の第１実施の形態に係る遊技機（１０）を示す正面図である。
【図２】  本発明の第１実施の形態に係る羽根（２３ｂ）を長くした場合の遊技機（１０）を示す正面図である。
【図３】  本発明の第１実施の形態に係る羽根（２３ｂ）を短くした場合の遊技機（１０）を示す正面図である。
【図４】  本発明の第１実施の形態に係る一部の羽根（２３ｂ）を短くした場合の遊技機（１０）を示す正面図である。
【図５】  本発明の第１実施の形態に係る羽根（２３ｂ）の先端を曲げた場合の遊技機（１０）を示す正面図である。
【図６】  本発明の第１実施の形態に係る隣り合う羽根（２３ｂ）間に遊技球保持部（２３ｃ）を備えた場合の遊技機（１０）を示す正面図である。
【図７】  本発明の第１実施の形態に係る羽根（２３ｂ）に遊技球が通過可能な通孔（２３ｄ）を形成した場合の入賞装置（２０）を示す正面図である。
【図８】  本発明の第１実施の形態の係る開口端部（２１ｂ）を外側に開いて形成した場合の遊技機（１０）を示す正面図である。
【図９】  本発明の第１実施の形態の係る開口端部（２１ｂ）を内側に閉じて形成した場合の遊技機（１０）を示す正面図である。
【図１０】  本発明の第１実施の形態の係る入賞装置（２０）の側面に可動片（２５）を備えた場合の遊技機（１０）を示す正面図である。
【図１１】  本発明の第２実施の形態の係る補助風車体（２４）を備えた場合の遊技機（１０）を示す正面図である。
【図１２】  本発明の第２実施の形態の係る補助風車体（２４）を備えた場合の遊技機（１０）を示す正面図である。
【図１３】  本発明の第２実施の形態の係る補助風車体（２４）を備えた場合の遊技機（１０）を示す正面図である。
【図１４】  本発明の第２実施の形態の係る風車体（２３）を左右に並設した場合の遊技機（１０）を示す正面図である。
【図１５】  従来の遊技機の例を示す正面図である。
【発明を実施するための形態】
【００２８】  以下、図面に基づき、本発明を代表する各種実施の形態を説明する。
図１は、本発明の第１実施の形態に係る遊技機１０を示している。
遊技機１０は、遊技盤面１１上に遊技球を打ち出して遊技を行うパチンコ機である。遊技機１０は、打ち出された遊技球が落下して遊技を進行させる役物等が取り付けられた遊技領域をなす遊技盤面１１と、遊技領域の正面を覆うガラスを固定するガラス枠等を有している。
【００２９】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００３０】  遊技盤面１１の正面視において左側端縁を区画する位置には、前記ハンドル１６の回転操作により打ち出された遊技球を遊技盤面１１の上方へ導くための外レールが設けられている。遊技盤面１１には、前記外レールより放出された遊技球が落下する経路に変化を与えるための天釘１２を含む遊技釘の他、遊技盤面１１の略中央に風車体２３を備えた入賞装置２０、入賞装置２０の下方には可変表示部３１、さらに、一般入賞装置３０が入賞装置２０および可変表示部３１を囲むように左右対称に３箇所ずつ、および最下には中央に、計７箇所設けられている。
【００３１】  また、最下の一般入賞装置３０の下方には大入賞口３２が設けられており、さらに、遊技盤面１１の最下部には、何れの入賞口、入賞装置にも入らず落下した遊技球を排出するためのアウト球口１３が設けられている。
【００３２】  また、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、表示遊技や特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００３３】  次に、本発明の根幹を成す風車体２３を備えた入賞装置２０について説明する。図１に示すように、遊技盤面１１の略中央に遊技機１０の主たる役物装置として配設される。上端全体を左右幅全体に亘って開口２１を形成し全体を凵形状とし、その内部であってその最下には、入賞装置２０内に入った遊技球を入賞させる入賞口２２を備える。入賞口２２を複数備えるものとして構成し、その一部を特定入賞領域として、その他の遊技動作の端緒とすることもできる。
【００３４】  入賞装置２０の上部開口２１の近傍には風車体２３が回動自在に軸支される。具体的には、回転軸２３ａが開口２１の両側方向における中間位置、すなわち開口２１の外側であって、その垂直二等分線上の位置に配置される。風車体２３を回転させることにより、羽根２３ｂが入賞装置２０の上部に形成された開口２１の開口度合いを変化させて、開口２１を閉じた状態、もしくは開いた状態となる。遊技盤面１１上を流下する遊技球はそのタイミングにより、入賞装置２０内に入ったり、または、入らずに左右上下に弾かれてさらに遊技盤面１１の下方に流下することになる。
【００３５】  図１に示すように、各開口端縁２１ａ，２１ａの中間位置に回転軸２３ａを位置させた場合には、回転軸２３ａから羽根２３ｂの最外延までの長さは回転軸２３ａから開口端縁２１ａまでの距離に等しい長さとなり、同時に各開口端縁２１ａ，２１ａの距離の２分の１に等しい長さとなる。
【００３６】  風車体２３の回転軸２３ａに連なる駆動手段については、一般的なものなので詳述しないが、モーター等の駆動装置を少なくとも有し、回転軸２３ａに伝えるギヤなどの伝達手段を有するものと成る。また、駆動手段全体は、前述した盤面の制御を行う制御手段によって制御される。
【００３７】  風車体２３は制御手段により回転方向、回転の速さ、停止位置、動作パターンを制御されることにより、開口２１の開口度合いを変化させて、遊技球の入賞のし易さをコントロールされる。この際、一般入賞口装置３０への入賞などと連動させて、遊技球を入賞させるべく、風車体２３の回転をゆっくりにしたり、一端停止をして遊技球を羽根２３ｂに貯めてから入賞装置２０内に導入するようにしたりしてもよい。
【００３８】  風車体２３の羽根２３ｂの長さや形状、回転軸２３ａの位置は図１にものに限られない。図２に示すように、回転軸２３ａを開口２１から離間した位置に配しても良い。この場合、最大で羽根を回転軸２３ａから開口端縁２１ａまでの距離までの長さまでとすることができる。これにより、羽根２３ｂを長くして入賞装置２０内に遊技球をより取り込み易くすることができる。
【００３９】  図３に示すように、風車体２３の羽根２３ｂの長さを短くしても良い。この場合、羽根２３ｂと開口端縁２１ａの間には隙間を生じさせ、該隙間より直接に遊技球を入賞装置２０内に導入することができる。
【００４０】  図４に示すように、一部の羽根２３ｂの長さを短くしても良い。この場合、長い羽根２３ｂで多くの遊技球を取り込めると同時に、短い羽根２３ｂでは開口端縁２１ａとの間に隙間を生じさせて、遊技にバリエーションを与えることができる。
【００４１】  図５に示すように、羽根２３ｂの先端を折り曲げても良い。この場合、遊技球が羽根２３ｂよりこぼれ落ちるのを防ぐことができ、より多くの遊技球を入賞装置２０内に導入することができる。
【００４２】  図６に示すように、隣り合う羽根２３ｂの間に遊技球保持部２３ｃを形成しても良い。これにより、遊技球保持部に確実に遊技球を保持させて入賞装置２０内に遊技球を導入することができる。図６では遊技球保持部は隣り合う羽根２３ｂの中間に形成したが、羽根２３ｂ自体を遊技球に沿うように湾曲に形成しに遊技球を保持可能にしてもよい。
【００４３】  図７に示すように、羽根２３ｂに遊技球が通過可能な通孔２３ｄを形成しても良い。風車体２３に保持された遊技球は回転によって入賞装置２０の外部にこぼれ落ちる可能性があるが、通孔２３ｄを設けたことにより確実に羽根２３ｂの下に流下させて、入賞装置２０内に導入することができる。
【００４４】  図８，９に示すように、開口端部２１ｂを開口２１の外側または内側に折り曲げて形成しても良い。これにより、風車体２３を大きくしたり、隙間を広く取ったりして入賞装置２０内に遊技球を導入し易くすることができる。また、逆に風車体２３を小さくし、入賞装置２０内に遊技球を導入しにくくすることができる。
【００４５】  図１０に示すように、入賞装置２０の左右の側面に可動片２５を備えるものとしても良い。これにより、入賞装置２０内の入賞口２２を特定入賞領域として、連動させて所定回数開閉動作を行い。賞球を行うことができる。
【００４６】  これまで、風車体２３の回転軸２３ａは開口２１の両側方向の中間位置としてきたが、回転軸２３ａの位置は開口２１の開口度合いを変化させることのできる位置であれば中間位置に限られない。開口２１の非対称位置に回転軸２３ａを位置させて片側のみを広く隙間をとってもよい。また、入賞装置２０の形状は矩形形状に限られず、台形状であってもよいし丸型であっても良い。さらに、開口２１の位置は上部に限られず左右の側面であってもよい。
【００４７】  次に、遊技機１０の作用を説明する。
遊技者はハンドル１６を打ち出し力に応じて回転操作することで球発射装置（図示省略）により、遊技盤面１１上に遊技球を打ち出して遊技を行う。遊技球は所定の間隔をもって次々に打ち出され、天釘１２をはじめ遊技盤面１１上のさまざまな部位に衝突しながら下方に落下（流下）をする。
【００４８】  予め所定のパターンによって回転している風車体２３に遊技球が入り、入賞装置２０の外部にこぼれ落ちずに残ったものが、入賞装置２０内に導入されて入賞口２２に入る。入賞装置２０内の入賞口２２は、単数または複数の構成とし、その全てまたは一部を特定入賞領域として、他の遊技動作の開始動作としても良い。すなわち、入賞装置２０内の入賞口２２に遊技球が入賞することにより、遊技盤面１１上に配設された一般入賞装置３０の開動作をしたり、可変表示部３１により抽選遊技を行ったり、大入賞口３２を開動作し賞球を行うなどする。
【００４９】  可変表示部３１により抽選遊技を行う場合には、可変表示部３１により可変表示を開始し、最終的に停止した図柄または数字などの組み合わせにより当たり図柄である場合は、大入賞口３２などにより賞球する。
【００５０】  本実施の形態の遊技機１０によれば、入賞装置２０は、遊技盤面１１上の略中央に配設されており、上部の開口２１は、左右の両端に亘り、または、その近傍に、風車体２３がその開口度合いを自在に変化させるべく回動自在に軸支される。
【００５１】  これにより、従来は天釘から始動入賞口までの距離が長いために、遊技盤面上に打ち込まれて滞留している遊技球の数が多く、遊技球が入賞するかどうかの帰趨が決するまでの処理に時間がかかっていたが、本発明においては、開口２１および風車体２３は天釘１２のごく近い位置に配されることになり、遊技者は天釘１２およびその近傍を狙って遊技を行い、上部の開口２１から遊技球を効率良く入賞装置２０内部に取り込むことができる。
【００５２】  また、風車体２３の回転を制御することによって、遊技を多様なパターンにせしめ、遊技者の興趣を高めることができる。さらに、遊技球を発射してからその帰趨を決するまで極めて早く処理することが可能となり、遊技が単調なものとなるのを防ぎ、より躍動感のあるものとして興趣を高めることができる。
【００５３】  図１２〜１５は第２の実施の形態に係る遊技機１０を示している。なお、前述した第１の実施の形態と同種の部位には同一の符号をつけて説明を省略する。
第２の実施の形態に係る遊技機１０は、図１２〜１５に示すように、補助風車体２４を含めて複数の風車体を備えたものである。
【００５４】  図１２は、補助風車体２４を１箇所、風車体２３の上方に配設した遊技機１０を示している。補助風車体２４は回転により、流下する遊技球の大雑把な行方を規制してコントロールすることができる。これにより、遊技球を風車体２３へ落ちるように回転させて遊技球をより入賞装置２０内に導入し易くすることができる。また、他の一般入賞装置３０と補助風車体２４の動きを連動させて遊技を多様にして遊技者の興趣を高めるものとしても良い。
【００５５】  図１３に示すように、補助風車体２４を風車体２３の左右の側方の２箇所配設するものとしても良い。また、図１４に示すように、補助風車体２４を風車体２３の上方であって遊技盤面１１の上部に４箇所配設するものとしても良い。さらに、図１５に示すように、風車体２３を左右に２箇所並べて配設するものとしてもよい。
【００５６】  以上、本発明の実施の形態を図面によって説明してきたが、具体的な構成はこれらの実施の形態に限られるものではなく、本発明の要旨を逸脱しない範囲における変更や追加があっても本発明に含まれる。また、前述した実施の形態では、風車体２３の羽根２３ｂの長さは回転軸２３ａから開口端縁２１ａまで距離の長さなどと説明したが、羽根２３ｂの長さは、回転するときの可動域に干渉するものがない位置であれば良くその長さは適宜、設定することができる。
【産業上の利用可能性】
【００５７】  本発明に係る遊技機はパチンコ機に限らず、プログラム制御されるスマートボールゲーム機、アレンジボールゲーム機といった他の遊技機にも同様に適用することができる。
【符号の説明】
【００５８】  １０…遊技機
１１…遊技盤面
１２…天釘
１３…アウト球口
１４…上皿
１５…下皿
１６…ハンドル
２０…入賞装置
２１…開口
２２…入賞口
２３…風車体
２４…補助風車体
２５…可動片
３０…一般入賞装置
３１…可変表示部
３２…大入賞口
【図１】
2014036821.tif 000003
【図２】
2014036821.tif 000004
【図３】
2014036821.tif 000005
【図４】
2014036821.tif 000006
【図５】
2014036821.tif 000007
【図６】
2014036821.tif 000008
【図７】
2014036821.tif 000009
【図８】
2014036821.tif 000010
【図９】
2014036821.tif 000011
【図１０】
2014036821.tif 000012
【図１１】
2014036821.tif 000013
【図１２】
2014036821.tif 000014
【図１３】
2014036821.tif 000015
【図１４】
2014036821.tif 000016
【図１５】
2014036821.tif 000017